(57)【要約】【課題】従来の印刷物無料提供方法においては、企業等の団体での注文について想定しておらず、団体の構成員ごとの注文枚数が可変となることについて考慮されていなかった。【解決手段】団体での累計注文回数が所定数を超えた場合には、ある構成員の注文可能枚数を他の構成員の注文可能枚数に分配することができるようにし、構成員別に注文枚数を可変にすることが可能となる。【選択図】図１
2009059238.tif 000002
【特許請求の範囲】
【請求項１】
複数の構成員が所属する企業等団体の端末が前記複数の構成員の名刺等の印刷物を一括で注文する印刷物注文システムの注文個数振分け方法であって、
前記端末は前記企業等団体の単位で注文可能個数を決定するステップと、注文累計回数が所定回数に満たないと判定した場合、前記全ての構成員の所定の注文可能個数の前記印刷物を注文するステップと、前記注文累計回数が前記所定回数を超えていると判定した場合、前記複数または全ての構成員の前記注文可能個数の範囲内から一部または全部を前記他の構成員に分配するステップと、前記注文可能個数に基づき前記印刷物を注文するステップとを備えた印刷物の注文個数振分け方法。
【請求項２】
請求項１に従属し、前記端末は所定回数までは前記複数または全ての構成員の所定の個数の前記印刷物を注文するステップと、所定回数以降は前記複数の構成員に他の構成員の注文可能個数を使用し、前記複数の構成員の注文可能個数を調整するステップと、注文可能個数に応じて前記印刷物の注文個数を決定するステップとを備えた印刷物の注文個数振分け方法。
【請求項３】
請求項１に従属し、前記端末は注文累計回数が所定回数に満たないと判定した場合、前記全ての構成員の注文可能個数を固定にするステップと、注文累計回数が所定回数を超えていると判定した場合、前記複数の構成員の前記所定の個数を前記構成員ごとに前記企業等団体の前記注文可能個数の範囲内で増減調整するステップとを備えた印刷物の注文個数振分け方法。
【発明の詳細な説明】
【技術分野】
【０００１】
本発明は、無料で商品を企業等団体単位で提供する場合の団体の構成員に商品個数を振り分ける振分け方法に関する。
【背景技術】
【０００２】
従来、名刺等の印刷物の裏面に広告主の広告を掲載し、名刺代金を広告代で補填し無料で提供する例は知られている（特許文献１）。
【０００３】
【特許文献１】特開２００４−１０６４０６
【発明の開示】
【発明が解決しようとする課題】
【０００４】
以上に述べた例では、名刺の表面には所属企業と、役職と名前、電話番号等が印刷され、裏面に広告主企業の広告が印刷されている。
このように名刺を無料または格安で作成する方法はすでに知られているが、一度の発注で注文可能な人数は明記されておらず、団体等における注文方法が不明確である。
【０００５】
本発明は、このような従来の構成が有していた問題を解決しようとするものであり、団体単位での加入を認める名刺等の印刷物の無料提供システムを用意し、加入した団体の社員等の構成員は個人情報を提供することにより、広告等の別の売上より名刺作成費を補填し、無料で名刺等の印刷物の注文をすることができるシステムにおいて、団体単位で名刺等の印刷物を注文する際に、所定の回数は個人情報を得るために構成員の全員が注文しなければならず、所定回数を超えて注文する場合は各構成員別に注文枚数を可変することを可能にすることを目的とする。
【課題を解決するための手段】
【０００６】
本発明の請求項１は、複数の構成員が所属する企業等団体の端末が前記複数の構成員の名刺等の印刷物を一括で注文する印刷物注文システムの注文個数振分け方法であって、
前記端末は前記企業等団体の単位で注文可能個数を決定するステップと、注文累計回数が所定回数に満たないと判定した場合、前記全ての構成員の所定の注文可能個数の前記印刷物を注文するステップと、前記注文累計回数が前記所定回数を超えていると判定した場合、前記複数または全ての構成員の前記注文可能個数の範囲内から一部または全部を前記他の構成員に分配するステップと、前記注文可能個数に基づき前記印刷物を注文するステップとを備えた印刷物の注文個数振分け方法を提供することにある。
【０００７】
本発明の請求項２は、請求項１に従属し、前記端末は所定回数までは前記複数または全ての構成員の所定の個数の前記印刷物を注文するステップと、所定回数以降は前記複数の構成員に他の構成員の注文可能個数を使用し、前記複数の構成員の注文可能個数を調整するステップと、注文可能個数に応じて前記印刷物の注文個数を決定するステップとを備えた印刷物の注文個数振分け方法を提供することにある。
【０００８】
本発明の請求項３は、請求項１に従属し、前記端末は注文累計回数が所定回数に満たないと判定した場合、前記全ての構成員の注文可能個数を固定にするステップと、注文累計回数が所定回数を超えていると判定した場合、前記複数の構成員の前記所定の個数を前記構成員ごとに前記企業等団体の前記注文可能個数の範囲内で増減調整するステップとを備えた印刷物の注文個数振分け方法を提供することにある。
【発明の効果】
【０００９】
上述したように、本発明の注文可能個数振分け方法は、無料の印刷物を必要のない人の分まで注文する必要はなく、必要としている人に注文可能個数を振り分けることができる。また、所定回数は必ず全ての構成員が注文しなければならないこととすることで、商品を全ての構成員に行き渡らせることが可能となる。
【発明を実施するための最良の形態】
【００１０】
以下、本発明の実施の形態を図１、図２に基づいて説明する。
【００１１】
図２は本発明の実施の形態を示すフローチャートを示し、図１のブロック図と合わせて説明する。１は制御装置を示し、Ｓ１で示すように、まず企業等の団体の単位でその団体が毎月注文できる注文可能個数を例えば団体に所属する構成員の人数×２０枚と決定する。そして、前記団体が名刺等の印刷物を注文する際には、Ｓ２で示すように前記団体の注文累計回数が所定回数を超えているか注文累計回数情報を制御装置１に送信し照合する。注文累計回数が所定回数に満たないと判定した場合は、Ｓ３で示すように各構成員の注文可能個数は所定の個数に固定になるよう設定する。注文累計回数が所定回数を超えていると判定した場合は、Ｓ４で示すように各構成員の所定の個数を前記団体の注文可能個数の範囲内で他の構成員に分配し、注文個数を調整することができるように設定する。
【００１２】
図３は注文個数の振分け例で、Ａ、Ｂ、Ｃは各構成員を示し、１回目、２回目は注文回数を示す。１回目は注文累計回数が所定回数に満たない場合の例で、各構成員の注文可能個数は全て固定に設定される。２回目は注文累計回数が所定回数を超えている場合の例で、構成員Ａの注文可能個数２０枚を構成員Ｃに配し、構成員Ｂの注文可能個数２０枚のうち１０枚を構成員Ｃに分配し、構成員Ｃの注文可能個数を所定の個数２０枚から５０枚へ増加するよう設定することができる。
【００１３】
本発明は、注文累計回数により構成員の注文個数を固定とするか分配可能にするかを分けることで、所定回数は全構成員に商品が行き渡ることを可能にし、かつ、所定回数以降は商品を必要としない構成員には提供せず商品を必要とする構成員には固定個数より多く提供することができる。
【図面の簡単な説明】
【００１４】
【図１】本発明の実施形態を示すブロック図
【図２】本発明の実施形態を示すフローチャート
【図３】注文個数の振分け例
【符号の説明】
【００１５】
１    制御装置
【図１】
2009059238.tif 000003
【図２】
2009059238.tif 000004
【図３】
2009059238.tif 000005